(57)【要約】【課題】  １年間に限定されず、数年間にわたって、記念写真等を貼り付けして楽しむことができるメモリアルカレンダーを提供する。【解決手段】  本発明のメモリアルカレンダー１は、表紙と、１月から１２月度までの各月毎の用紙１０と、全体を保持する台紙とからなるメモリアルカレンダーであって、各月毎の用紙１０は、当月度の月名の表示印刷１１と、用紙の半分以上の面積を占める記念写真貼り付け領域１２と、日付け等表示領域１３とからなり、日付け等表示領域１３は、当該日付け欄において利用者が書き込みする複数の年号記入欄１３２と曜日記入欄１３３、複数の記念写真ナンバー記入欄１３４と記念日の内容記入欄１３５、からなることを特徴とする。各用紙１０と台紙は、貫通する綴じ穴６を天部に沿って１列に有し、綴じ部材により、めくり返し可能にされている。【選択図】    図２
2007326319.tif 000002
【特許請求の範囲】
【請求項１】
表紙と、１月から１２月度までの各月毎の用紙と、全体を保持する台紙とからなるメモリアルカレンダーであって、
各月毎の用紙は、当月度の月名の表示印刷と、用紙の半分以上の面積を占める記念写真貼り付け領域と、日付け等表示領域とからなり、
日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー。
【請求項２】
表紙と１月から１２月度までの各月毎の用紙と前記台紙が、各用紙と台紙を貫通する綴じ穴を天部に沿って１列に有し、当該貫通する綴じ穴を利用する綴じ部材により、めくり返し可能に綴じられ、必要な月度の用紙を表側に表出できるようにされていることを特徴とする請求項１記載のメモリアルカレンダー。
【請求項３】
各月毎の用紙の記念写真貼り付け領域には、当月の季節に相応した絵柄印刷がされていることを特徴とする請求項１または請求項２記載のメモリアルカレンダー。
【発明の詳細な説明】
【技術分野】
【０００１】
本発明は、記念写真を貼り付けする領域と、写真を撮影した年号と日付けと対応した曜日を記入する領域と、記念写真ナンバー、記念日の内容を記入する欄と、を有するメモリアルカレンダーに関する。あらかじめ、年号と曜日が印刷されてなく、各月の日付けに対応する年号と曜日は、利用者が自由に書き込みできるので、カレンダーとしての機能よりもアルバムとしての機能が重視されている。
従って、メモリアルアルバムとも表現できる媒体であるが、日付けに対応する年号と曜日の記入欄、記念写真ナンバー、記念日の内容を記入する欄、を有し、それらを１のページに整理できる点で、従来からのアルバムとも相違している。
【背景技術】
【０００２】
従来より、さまざまなカレンダーが販売され利用されている。このようなカレンダーの中には、単純に用紙に日付けが印刷されているだけでなく各種の工夫がされている。
例えば、特許文献１は、パーソナルカレンダーであって、個人／家族単位でそれぞれに相応しい個別情報を印刷したカレンダーを提案している。また、特許文献２は、１年間の予定を書き込みできるカレンダーを提案している。
【０００３】
【特許文献１】特開平８−１２７１８９号公報
【特許文献２】特開２００６−２６９５３号公報
【０００４】
しかし、カレンダー自体に記念写真を貼り付けできる形態にしたものは提案されていない。一方、従来から市販されているアルバムには、その撮影年月日や撮影場所等を記入する欄を設けたものも市販されているが、１ケ月単位で整理できるようにしたものは見当たらない。したがって、アルバムに記念写真を貼り付けしても、どのページに何の写真があるのかが判り難く散漫な状態になり易く、いずれ本人も飽きてしまうことが多い。
【発明の開示】
【発明が解決しようとする課題】
【０００５】
一般にカレンダーは１年間の使用を目的とし、年が変われば新しいものを使用することを前提としている。そのため、カレンダーに記念写真を貼り付けたとしても翌年には見ることができず、翌年以降も続けて見るためには貼り替えの手間がかかる問題がある。
ところで、想い出深い記念写真はできるだけ永く残し、２〜３年間、あるいは数年間は繰り返して見ていたいというのが人情である。
そこで、本発明は従来のカレンダーとは異なる工夫をして、記念写真を各月毎のページに貼り付け可能にすると共に、少なくとも２〜３年間、あるいはそれ以上の年月の期間継続して利用できる形態を考慮したものである。
【課題を解決するための手段】
【０００６】
上記課題を解決する本発明の要旨は、表紙と、１月から１２月度までの各月毎の用紙と、全体を保持する台紙とからなるメモリアルカレンダーであって、各月毎の用紙は、当月度の月名の表示印刷と、用紙の半分以上の面積を占める記念写真貼り付け領域と、日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー、にある。
【０００７】
上記において、表紙と１月から１２月度までの各月毎の用紙と前記台紙が、各用紙と台紙を貫通する綴じ穴を天部に沿って１列に有し、当該貫通する綴じ穴を利用する綴じ部材により、めくり返し可能に綴じられ、必要な月度の用紙を表側に表出できるようにされていれば、当月の記念写真を表面にして見るためには便利である。
また、各月毎の用紙の記念写真貼り付け領域には、当月の季節に相応した絵柄印刷がされていれば、意匠効果や利用者の興味を高めることができる。
【発明の効果】
【０００８】
本発明のメモリアルカレンダーは、年号と曜日が印刷されていないので、自由に書き込みして使用できる。従って、１年間だけ使用することに限らず、２〜３年間あるいは数年間にわたって、大切な想い出となる記念写真を貼り付けて鑑賞することができる。
本発明のメモリアルカレンダーは、記念写真貼り付け領域を有し、写真を貼り付けできるばかりでなく、記念写真を撮影した年号や曜日、記念写真ナンバー、記念日の内容、を記入する欄を有するので、メモ帳や日記としての役割を果たすことができる。
目的に応じて複数種のメモリアルカレンダーを備えれば、趣味や対象物（ペットや動植物）に応じた履歴をアルバムとして残すことができる。
【発明を実施するための最良の形態】
【０００９】
以下、本発明の実施形態について、図面を参照して説明する。
図１は、本発明に係るメモリアルカレンダーの１月度のページを示す図、図２は、図１のページに記念写真を貼り付けした状態を示す図、図３は、メモリアルカレンダー全体の外観図、図４は、ツインリングによる綴じ部を示す図である。
【００１０】
図１のように、メモリアルカレンダーの各月毎の用紙１０には、当月度の月名の表示印刷１１と、用紙の半分以上の面積を占める記念写真貼り付け領域１２と、日付け等表示領域１３とからなっている。複数年にわたる使用を目的とするので、暦年や２００７年等の年号の印刷はされていない。日付け１３１の印刷はされているが、日付けと対応付けした曜日の印刷はされていない。曜日は年によって変わるので利用時に書き入れする。
記念写真貼り付け領域１２はサービスサイズ等の写真を貼り付けするので、できる限り広い面積（各月毎の用紙の６〜７割）を有することが好ましい。日付け等表示領域１３は、メモ目的に使用するだけなので、余り広い面積にする必要はない。
各月の用紙１０は、Ｂ４判からＡ２判程度の大きさがあることが好ましい。
【００１１】
日付け等表示領域１３は、図１の下側のだ円内に拡大して図示するように、１の日付けに対して、２〜４の曜日の記入が可能にされている。複数年の年号（暦年）にわたって使用するので、異なる曜日を記入可能にするためである。図１の場合は、３つの曜日の記入が可能にされ、印刷した各月の日付け１３１と、当該日付け欄において利用者が書き込みする複数の年号記入欄１３２と曜日記入欄１３３、複数のフォトナンバー記入欄１３４、複数の記念日の内容を記入する欄１３５、とから構成されている。複数年度の使用では同一の日の写真が生じるからである。
各月の日付け１３１は、１月なら３１日まで印刷し、２月は閏年を考慮して２９日まで印刷する。フォトナンバー記入欄１３４は、記念写真貼り付け領域１２の記念写真にナンバーを付して、当該ナンバーとの対応関係を明確にするためである。フォトナンバー記入欄１３４、記念日の内容を記入する欄１３５、も曜日の数に対応した数が設けられる。
【００１２】
日付け等表示領域１３の位置や記入項目は、図示のものに限定されず自由に設計可能である。日付け等表示領域１３を用紙１０の上辺や下辺、右辺に沿って設けてもよい。日付けの半分づつを左辺と右辺、あるいは上辺と下辺に分けて設けてもよいものである。
また、記念写真は同日に沢山撮影される場合も多いので、１の日付けに対応する記入欄１３２，１３３，１３４，１３５を縦かっこ括り線を付して拡張して使用してもよい。自由な感想やメモ記入欄を設けてもよい。
【００１３】
各月毎の用紙１０の記念写真貼り付け領域１２には、当月の季節に相応した絵柄印刷１４がされていることが好ましい。メモリアルカレンダーの意匠性を高めることと、利用者の趣向に合わせる趣旨である。したがって、季節の花柄や山・海の風景、シーズン性のスポーツ、犬や猫などのペット等、各種の絵柄を採用できることは、勿論のことである。
各月の用紙１０の天部には、表紙と各月毎の用紙１０の全部と台紙を貫通する綴じ穴６を天部８に沿って１列に有している。また、必要により吊るし金具を回転させる切り欠き７を任意的に設けることができる。綴じ穴６は３〜４ｍｍ角等に形成する。
【００１４】
図２は、図１のページに記念写真を貼り付けした状態を示す図である。図２では、２枚の記念写真５ａ，５ｂを貼り付けしている。写真は各種サイズがあるが、Ｅサイズ（８２×１１７ｍｍ）やＬサイズ（８９×１２７ｍｍ）であれば、Ａ３判〜Ａ２判で４枚〜８枚を貼り付けすることができる。円形や楕円形に切り抜いて貼り付けしてもよい。
記念写真５自体またはその周囲にフォトナンバー５ｎを記入し（写真自体に表示されている場合もある。）、当該フォトナンバーを日付け等表示領域１３のフォトナンバー記入欄１３４に記入して対応関係を明示する。
【００１５】
図２では、左側の記念写真５ａにフォトナンバー１、右側の円形の記念写真５ｂにフォトナンバー２が付され、日付け等表示領域には、それぞれの写真が、２００７年の１月１５日の月曜日と１６日の火曜日に撮影したことが判るようにされている。
すなわち、利用者は、１５日の年号記入欄１３２に、「２００７」と記入し、曜日記入欄１３３に、月曜日の「月」を記入し、フォトナンバー記入欄１３４に、「１」と記入し、記念日の内容記入欄１３５に、「同窓会」と記入している。また、１６日の年号記入欄１３２に、「２００７」と記入し、曜日記入欄１３３に、「火」と記入し、フォトナンバー記入欄１３４に、「２」と記入し、記念日の内容記入欄１３５に、「成人式」と記入している。
【００１６】
図３は、メモリアルカレンダー全体の外観図である。なお、表紙は省略している。
メモリアルカレンダー１は、前記のように、表紙と１月から１２月度までの各月毎の用紙１０ａ，１０ｂ，・・以下の１２枚と、前記台紙１０Ｄを貫通する綴じ穴６を天部に沿って１列に有し、当該貫通する綴じ穴６を利用する綴じ具（例えば、ツインリング）２により用紙１０を回転可能にして綴じられている。用紙１０の天部８以外の３辺は開放された自由端であり、勿論めくり返し可能にされている。これにより、必要な月度の用紙を表側にいつでも表出できる。吊り金具３は、垂直面に吊るして使用する場合に設けるので、机上での使用に限定される場合は設けなくてもよい。
【００１７】
綴じ具２には、ツインリングやスパイラルリング等を採用できる。これら線材からなる綴じ具２を前記綴じ穴６に通して綴じ合わせする。ただし、スパイラルリングの場合は、用紙をめくり返しすると、下段の用紙との間にスパイラルの１ピッチだけ用紙がずれる問題がある。その点、ツインリングはそのような問題の生じない利点がある。
図４は、ツインリングによる綴じ部を示す図である。ツインリング４はプラスチックで被覆した金属線材を連続的に折り曲げした後、断面が円形であって全体が円柱状のコイルになるように成型した綴じ具である。ツインリングにより綴じた後は図４の状態になる。    
【００１８】
メモリアルカレンダー１の表紙と用紙１０には、上質紙やコート紙、ファンシーペーパー等を使用できる。記念写真を貼り付けする各月毎の用紙１０は糊や粘着剤の使用によって変形したり剥離しないようにやや厚めのもの（４６判、１３５〜２１０ｋｇ程度）を使用することが好ましい。カレンダーや写真の永久的な保存性を考慮する場合は、中性アルバム原紙等を使用するのが好ましい。写真を貼り付けできる粘着加工済用紙を使用してもよい。また、台紙１０Ｄには、厚板紙やプラスチック板を使用することができる。
表紙と各月毎の用紙１０に印刷した後は、通常のカレンダーの製造の手法により、丁合・綴じ合わせ製本してメモリアルカレンダー１を完成できる。
【００１９】
以上、本発明の実施形態について説明したが、本発明は上記実施例に限定されるものではない。メモリアルカレンダーの表紙や台紙がないもの、あるいは日付け等表示領域の記入欄に変更を加えた程度のものは本発明の均等の範囲に属するものである。
写真以外にも想い出に残る搭乗券や入場券を貼るものとしてもよいものである。
また、メモリアルカレンダーを卓上型専用スタイルや日めくり型や中綴じ型、などのバリエーションとすることは、当業者が本発明に基づいてきわめて容易にできる程度のことである。
【図面の簡単な説明】
【００２０】
【図１】本発明に係るメモリアルカレンダーの１月度のページを示す図である。
【図２】図１のページに記念写真を貼り付けした状態を示す図である。
【図３】メモリアルカレンダー全体の外観図である。
【図４】ツインリングによる綴じ部を示す図である。
【符号の説明】
【００２１】
１    メモリアルカレンダー
２    綴じ具
３    吊り金具
４    ツインリング
５，５ａ，５ｂ    記念写真
５ｎ  フォトナンバー
６    綴じ穴
７    切り欠き
８    天部
１０，１０ａ，１０ｂ，・各月の用紙
１１    月名の表示印刷
１２    記念写真貼り付け領域
１３    日付け等表示領域
１４    絵柄印刷
【図１】
2007326319.tif 000003
【図２】
2007326319.tif 000004
【図３】
2007326319.tif 000005
【図４】
2007326319.tif 000006